(57)【特許請求の範囲】
【請求項１】
パイプ(44)と、血圧測定セクション(46)の関連する硬質壁(64)とともに単一部材に製造された閉鎖部材(68)によってシールされた孔(66)を含む硬質壁(64)を含むパイプ(44)内において血圧を測定するためのセクション(46)とからなる体外血液回路(42)であって、
閉鎖部材(68)の内面(70)は血液と接触状態にあり、外面(72)は循環空気と接触状態にあり、
前記閉鎖部材(68)は、血圧の影響下において、前記閉鎖部材の平面と直交する変形すなわち変位軸線(A‐A)に沿って弾性的に変形されるか、全体的に変位することができ、
以下の点すなわち、閉鎖部材(68)は、その静止状態において、ロードセンサー(56)と直接または間接に接触する硬質な中央ペレット(74)を有し、前記中央ペレット(74)は、その厚さが、硬質壁(64)の前記軸線方向の厚さよりも小さい厚さである薄い周辺環状区域(76)によって画定されており、硬質の壁(64)に比較して弾性的な前記軸線方向の変形に対して低抵抗を示す弾性的な変形区域を形成する点を特徴とする体外血液回路(42)。
【請求項２】
薄い部分(76)が、閉鎖部材(68)と関連する硬質壁(64)を切削することによって製造される点を特徴とする請求項１記載の体外血液回路(42)
【請求項３】
閉鎖部材(68)は、関連する硬質壁(64)と一緒に成形されることによって製造される点を特徴とする請求項１または２記載の体外血液回路(42)。
【請求項４】
薄い区域(76)の形態は、閉鎖部材(68)の平面に直交する断面において、波状である点を特徴とする請求項１〜３のいずれか１記載の体外血液回路(42)。
【請求項５】
閉鎖部材(68)の外面(72)は、グリップ部材、すなわちグリップされることができる部材(80)を含む点を特徴とする請求項１〜４のいずれか１記載の体外血液回路(42)。
【請求項６】
閉鎖部材(68)のグリップ部材、すなわち、グリップされることができる部材(80)は、ペレット(74)と単一部材に製造される点を特徴とする請求項５記載の体外血液回路(42)。
【請求項７】
回路(42)の一部が、体外血液回路(42)に接続されるパイプ(44)を組み込むケーシング(48)またはカセットに製造されるタイプの請求項１〜６の何れか１記載の体外血液回路(42)であって、以下の点すなわち、血圧測定セクション(46)は、ケーシング(48)の関連ハウジング内にマウントされる１つの取り付けモジュールである点を特徴とする体外血液回路(42)。
【請求項８】
回路(42)の一部が、体外血液回路(42)に接続されるパイプ(44)を組み込むケーシング(48)またはカセットから製造されるタイプの請求項３と組み合わされる請求項１〜７のいずれか１記載の体外血液回路(42)であって、
血圧測定セクション(46)は、ケーシング(48)内に成形される点を特徴とする体外血液回路(42)。
【請求項９】
閉鎖部材(68)が、ディスク状である点を特徴とする請求項１〜８のいずれか１記載の体外血液回路(42)。
【請求項１０】
孔(66)を区画する硬質壁(64)の少なくとも一部は、支持プレート(50)を軸線方向外側に向かって押圧する点を特徴とする請求項１〜９のいずれか１記載の体外血液回路(42)。
【請求項１１】
請求項１〜１０のいずれか１記載の体外血液回路(42)のパイプ(44)内の血圧を測定するデバイスであって、
前記デバイスは、前記体外血液回路(42)と、体外血液回路(42)の血圧測定セクション(46)と係合するように設計されたロードセンサー(56)とを備えているので、閉鎖部材(68)の外面(72)の一部は、その静止状態において、直接または間接にロードセンサー(56)と接触状態にあり、前記センサーは、血圧によって閉鎖部材(68)の内面(70)に軸線方向に作用する力を測定することができ、それによってこの圧力値を計算することができるデバイス。
【請求項１２】
ロードトランスミッター(78)は、閉鎖部材(68)の外面(72)とロードセンサー(56)の間に軸方向に挿入されるので、閉鎖部材(68)の外面(72)の一部は、その静止状態で、ロードセンサー(56)に間接的に接触する点を特徴とする請求項１１記載のデバイス。
【請求項１３】
閉鎖部材(68)の外面(72)は、グリップ部材、すなわち、グリップされる部材(80)を備えており、前記部材は、ロードトランスミッター(78)の補足部材(86)と係合して閉鎖部材(68)をロードトランスミッター(78)とともに軸方向の移動状態に固定し、循環空気の圧力よりも小さい圧力を測定することを可能にするか、または、基準圧力に関し圧力の低下を測定することを可能にする点を特徴とする請求項１２記載のデバイス。
【請求項１４】
閉鎖部材(68)のグリップ部材、すなわち、グリップされることができる部材(80)は、ペレット(74)と一続きの部材に製造される点を特徴とする請求項１３記載のデバイス。
【請求項１５】
ロードセンサー(56)またはロードトランスミッター(78)は、その静止状態において、閉鎖部材(68)に事前の軸線方向張力(F0)を付与し、循環空気の圧力よりも小さい圧力を測定するか、または、基準圧力に関する圧力の低下を測定することができる点を特徴とする請求項１１〜１４のいずれか１記載のデバイス。
【請求項１６】
ロードセンサー(56)は、ストレーンゲージタイプである点を特徴とする請求項１１〜１５のいずれか１記載のデバイス。
【請求項１７】
ロードセンサー(56)は、血圧によって、ペレット(74)の内面(70)に作用する力を測定するために設計されている点を特徴とする請求項１１〜１６のいずれか１記載のデバイス。
【請求項１８】
グリップされる部材(80)は、ロードトランスミッター(78)の補足ジョー(86)と係合することを意図する横断方向のノッチ(84)を備える軸線方向ロッド(82)を有する点を特徴とする請求項１３記載のデバイス。
【請求項１９】
請求項１〜１０のいずれか１記載の体外血液回路(42)を含む透析を実施する血液処理デバイス(40)であって、
透析装置(52)は、体外血液回路(42)中に血流を作り出すポンプ手段と、請求項１１〜１８のいずれか１記載の体外血液回路(42)のパイプ(44)内の血圧を測定するデバイスを含む体外血液回路(42)の一定のパラメータをモニターする手段とを有するデバイス(40)。
【請求項２０】
請求項１９記載の血液処理デバイス(40)であって、カセット(48)が、透析装置(52)の支持プレート(50)にマウントされる点を特徴とする請求項７または８と組み合わされるデバイス(40)。
【発明の詳細な説明】
【０００１】
【発明の属する技術分野】
この発明は、血圧を測定するデバイスに関する。
【０００２】
より特定すれば、この発明は、体外血液処理デバイスに用いられる血圧測定用デバイスに関し、このデバイスにおいては、パイプを備え、パイプ内を流れる血液の圧力を測定する少なくとも１つのセクションを含む血液回路によって、血液を(特に、透析を行う目的で)患者から採取して処理を施し、患者の体内に再導入する。
【０００３】
【従来の技術】
血圧測定セクションの知られたタイプは、実質的に硬質の壁と、閉鎖部材によってシールされた孔とを備え、前記パイプの内面は血液と接し、外面は、循環する空気と接しており、前記パイプは、血圧の影響を受けてその平面に対し実質的に垂直な変形または変位軸線の全域に亘って前記閉鎖部材を弾性的に変形または変位することが可能である。閉鎖部材の外面の一部は、それが静止状態にある場合は、直接または間接に、血圧によって閉鎖部材に対し前記軸線方向に及ぼされる力を測定することができるロードセンサーと接し、この圧力の値を計算することができる。
【０００４】
一般に、このタイプの体外血液処理デバイスは、使い捨てタイプのケーシングまたはカセットから製造される回路部分を有し、体外血液回路に接続される複数本のパイプを組み込む。
【０００５】
血圧測定セクションは、ケーシングの関連するハウジング内にマウントされる付属モジュールであることができる。
【０００６】
このケーシングは、例えば、センサー、ディスプレイ手段、ポンプ手段、制御用インターフェース、電気的制御ユニット等を備える支持装置にマウントされる。
【０００７】
このタイプの体外血液処理デバイスにおいては、血圧は測定部材と血液とが接触することなく測定しなければならない。
【０００８】
この血圧測定を行うための数システムが知られる。
【０００９】
図１に示す第１の血圧測定システムにおいては、パイプ１２中の血圧測定セクション１０は、測定室１４を備えており、この室内には薄膜１６またはダイアフラムが、隔室１８内に含まれる空気とパイプ１２内を流れる血液とを分離する。
【００１０】
薄膜１６は、その平面に対し垂直な軸線Ａ‐Ａに沿って変形することが可能なので、パイプ１２内の血液の圧力にしたがって、軸線方向に変位される。
【００１１】
薄膜１６の極端な変形位置が点線で示される。
【００１２】
空気隔室１８は、血圧測定セクション１０が支持装置２０にマウントされるときは、シールされ閉鎖される。
【００１３】
この支持装置２０は、空気隔室１８内部の圧力を直接測定するセンサー２２を備える。
【００１４】
血圧が変化すると、薄膜１６が平衡位置に変位されて薄膜１６の両側の圧力が等しくなる。
【００１５】
隔室１８内においてセンサー２２によって測定された圧力は、したがって、パイプ１２内の血圧に等しい。
【００１６】
適切な幾何学、特に、隔室１８の適切な容積と薄膜１６についての表面積とによって、この第１の血圧測定システムは、一方においていわゆる「正(positive)」血圧、すなわち、基準圧この場合は大気圧よりも大きい血圧と、他方においていわゆる「負(negative)」血圧、すなわち、基準圧よりも小さい血圧を測定することが可能である。
【００１７】
この測定システムは、もしも、空気隔室１８内に漏れがなければ正しく作動する。さもなければ、薄膜１６は、その端部停止位置まで変位されて、圧力伝達機能を最早行うことができない。血圧測定セクション１０を支持装置２０にマウントする間空気隔室１８をシールすることが、この測定システムの弱点である。
【００１８】
特に、このシールは、測定システムの使用中に破損する可能性がある。
【００１９】
図２に示す第２の血圧測定システムにおいては、血圧測定セクション１０は、血液と、可撓性の薄膜３０によってシールされる孔２８とを備える隔室２４を形成する。
【００２０】
血圧測定セクション１０が支持装置２０にマウントされるとき、可撓性薄膜３０の中心部の外面は、薄膜３０とロードセンサー３４との間に挿入されるロードトランスミッター３２と接する。
【００２１】
ロードセンサー３４は、隔室２４内の血圧の影響に起因する薄膜３０の内面に付与される力を測定することが可能であり、この場合、血圧は、循環する空気圧よりも大きい。
【００２２】
血圧は、次式により決定される。
【００２３】
Ｐ＝(Ｆ−Ｆ0)／Ｓa(１)
この式において、Ｆはロードセンサー３４によって測定された力、Ｆ0は、静止状態、すなわち、薄膜３０の２つの面の間（内面と外面)に圧力勾配が存在しない場合に測定された力、Ｓaは、薄膜３０の有効面積または有効表面積である。
【００２４】
薄膜３０の有効表面積Ｓaは、血液と接触する薄膜３０の内面の面積と、薄膜３０とロードトランスミッター３２の間の接触面積との合計面積の中間の面積に等しい。
【００２５】
この測定システムは、正の圧力を測定することはできるが、負の圧力を測定することができない。
【００２６】
その理由は、負の圧力にあっては、薄膜３０がロードトランスミッター３２から離間する傾向があるからである。
【００２７】
このシステムは、したがって、正圧の測定に適合する。
【００２８】
血圧が負であるとき、ロードセンサー３４が薄膜３０に付与される力を引き続き測定することができるようにするために、薄膜３０は、軸線方向の変位においてはロードトランスミッター３２に固定される。
【００２９】
このように、図３に示す第２の血圧測定システムの改良具体例によれば、薄膜は、その外面に金属製ディスク３６を備え、ロードトランスミッター３２は、薄膜３０と対向するその軸端部にマグネット３８を備える。
【００３０】
金属製ディスク３６におけるマグネット３８による吸着力が、薄膜３０をその軸線方向の変位においてロードトランスミッター３２に固定することを可能にする。
【００３１】
血圧が正圧である場合、薄膜３０は、ロードトランスミッター３２に抗してこれを押圧する力を及ぼす。
【００３２】
血圧が負圧である場合、薄膜３０は、ロードトランスミッター３２を軸線方向に引っ張る力を作用させる。
【００３３】
薄膜３０をロードトランスミッター３２に固定するこのデバイスは、金属製ディスク３６に見合う特別な薄膜３０と、マグネット３８に見合う特別なロードトランスミッター３２を必要とするので高価である。
【００３４】
金属製ディスク３６は、有効な磁気的係合を可能にするために大きな面積を持たなければならない。
【００３５】
これに加えて、薄膜３０は、金属製ディスク３６がロードトランスミッター３２のマグネット３８に「接着」するとき重大な振動にさらされるので、このことによって、その機械的特性に損傷を受ける可能性がある。
【００３６】
更には、知られた測定システムは、血圧測定セクション１０のものとは異なる素材から製造される取り付け用薄膜３０を必要とする点も注目される。
【００３７】
これらの２つの血圧測定システムは、一般にシリコン製の可撓性薄膜３０を使用する。
【００３８】
付属する薄膜３０は、これが関連する壁２６の孔２８を完全にシールしなければならないので、マウントが比較的複雑であり、血圧測定システムの製造と組立に高コストを含む。
【００３９】
【発明が解決しようとする課題】
この発明の目的は、これらの欠点を矯正するとともに、現存システムよりも簡素な血圧測定システムを提供することである。
【００４０】
【課題を解決するための手段】
この目的で、この発明は、閉鎖部材が、血圧測定セクションの硬質な壁を備える単一部材内に作られる点に特徴を有し、
閉鎖部材によってシールされる孔を含む実質的な硬質壁を備え、
前記閉鎖部材の内面は、血液と接し、前記閉鎖部材の外面は、循環空気と接しており、
閉鎖部材は、血圧の影響を受けて、その平面に実質的に垂直な変形または変位軸線の全域に沿って弾性的に変形または変位されることができ、
血液測定セクションは、ロードセンサーと係合するように設計されており、閉鎖部材の外面の一部が、その静止状態において、直接または間接にロードセンサーと接し、前記ロードセンサーは、血圧によって、閉鎖部材の内面に軸線方向に付与される力を測定することができ、ここから圧力値を計算することが可能である、体外血液回路のパイプ内において血圧を測定するデバイス、を提案する。
【００４１】
血圧測定セクションに付属する可撓性薄膜のコスト以下であるその製造コスト以外に、この発明の閉鎖部材は、可撓性薄膜の使用に関連する特定の諸問題を克服することが可能である。
【００４２】
詳細には、或る持続する力が可撓性シリコン薄膜に付与される場合、伸張現象が現れる、すなわち、時間経過とともに薄膜の弾性特性に劣化を生じる。
【００４３】
それゆえ、或る期間の経過後に、薄膜はその静止状態に対応する初期の状態に復帰するにもかかわらず、変形したままとなる。
【００４４】
この伸張現象は、大径の薄膜にあっては特に重大である。すなわち、シリコンまたは天然ゴム製の径が２５mmより大きい薄膜については重大で、これらは１時間にその弾性の８％を失う。
【００４５】
薄膜の温度と水和作用とは、その性質の劣化、特にその弾性の劣化の原因となる。
【００４６】
この発明の他の特徴によれば、
‐閉鎖部材は、硬質壁と比較して軸線方向の弾性変形に対して低抵抗を示す区域を含み、
‐軸線方向の弾性変形に対して低抵抗を示す区域は、静止状態においてロードセンサーと直接または間接に接する閉鎖部材の外面の一部を包囲し、
‐閉鎖部材は、硬質壁の軸線方向厚以下の軸線方向厚を持つ薄い周辺部環状区域によって区画され、弾性的に変形可能な区域を形成する実質的に硬質の中央部のペレットを備え、
‐薄い区域は、閉鎖部材と関連する硬質壁の切削によって製造され、
‐閉鎖部材は、関連する硬質壁と一緒に成形することによって製造され、
‐薄い区域の外観は、閉鎖部材の平面にほぼ垂直な断面において、波形をなし、
‐ロードトランスミッターは、閉鎖部材の外面とロードセンサーの間に軸線方向に挿入され、
‐ロードセンサーまたはロードトランスミッターは、特に、循環空気圧以下の血圧を測定することが可能なように、または、基準血圧に対する減少圧を測定することを可能にするために、静止状態にある閉鎖部材に予備的張力をその軸線方向に付与し、
‐閉鎖部材の外面は、グリップ部材、または、グリップされる部材を備え、特に、循環空気圧以下の血圧を測定することが可能なように、または、基準血圧に対する減少圧を測定することを可能にするために、閉鎖部材をロードトランスミッターの補足部材と係合して、ロードトランスミッターと一緒に軸線方向に変位させて固定し、
‐閉鎖部材のグリップ部材またはグリップされる部材は、ペレットを備える一続きの部材をなして製造され、
‐回路の一部が、体外血液回路に接続されるパイプを組み込むケーシングまたはカセットから形成されるとき、血圧測定セクションは、関連するケーシングのハウジングにマウントされる付属モジュールであり、
‐回路の一部が、体外血液回路に接続されるパイプを組み込むケーシングまたはカセットから形成されるとき、血圧測定セクションは、ケーシング内に成形され、
‐閉鎖部材は、実質的にディスク状であり、
‐孔を区画する硬質壁の少なくとも一部が、支持プレートを軸線方向に前方に向かって押す。
【００４７】
この発明のそれ以外の特徴と利点は、以下の詳細な説明を読むことによって明らかとなろう。理解を容易にするため、添付図面を参照する。
【００４８】
【発明の実施の形態】
以下の説明において、同一のまたは類似した部材は、同じ参照符号で示される。
【００４９】
図４は、透析を行うための体外血液処理デバイス４０を示す。
【００５０】
このデバイス４０は、患者から血液を採取し、透析を行うためにこれを処理し、次いでこれを患者の体内に再導入するように設計される。
【００５１】
このデバイス４０は、パイプ４４からなり、このパイプ４４中を流れる血液の圧力を測定するための少なくとも１つのセクションを含む(一部だけが図示される)体外血液回路４２を備える。
【００５２】
この場合、体外血液回路４２の一部は、カセットとも呼ばれる実質的に平行六面体のケーシング４８で作られ、前記カセットは、その厚さ中に血液流のためのパイプ４４を保持するとともに、その厚さ中において、体外血液回路４２の他方のパイプ４４に接続される。
【００５３】
この場合、カセット４８は、その厚さの中に保持される２つの類似した血圧測定セクション４６を有する。
【００５４】
このカセット４８は、透析装置５２の支持プレート５０にマウントされるように設計され、前記透析装置は、特に、血液を回路４２中に流すためのポンプ手段５４と、回路４２の或るパラメーターを見にターする手段、特にセクション４６と係合して回路４２のパイプ４４中の圧力をモニターするロードセンサー５６を備える。
【００５５】
カセット４８は、例えば、ポリカーボネート、ポリプロピレンの成形、または別の適当な材料から製造される。
【００５６】
残りの説明においては、単一のセクション４６だけを説明する。
【００５７】
図６に概略的に説明する血圧測定セクション４６は、この場合、パイプ４４の枝部６０、６２の間に挿入され、例えば、カセット４８とともに成形される実質的に平行六面体の隔室５８を形成する。
【００５８】
血圧測定セクション４６の(図示しない)代替具体例によれば、前記セクション４６がカセット４８に取り付けられたモジュールであることができる。
【００５９】
血液測定セクション４６の実質的硬質壁または主壁は、閉鎖部材６８によってシールされる孔６６を備えており、閉鎖部材６８の内面７０は、血液と接し、外面７２は、循環する空気と接する。
【００６０】
カセット４８がその支持面５０にマウントされると、血圧測定セクション４６の主壁６４は、支持面５０と対面するように配置されるように設計されるので、閉鎖部材６８は、ロードセンサー５６と対面する。
【００６１】
図５は、主壁６４の側から眺めたカセット４８を示す。
【００６２】
この発明の教示によれば、閉鎖部材６８は、セクション４６の主壁６４と一体の部材をなして、この場合は成形によって製造される。
【００６３】
閉鎖部材６８は、薄い周辺の環状区域７６によって区画されるディスク状の実質的に硬質の中央ペレット７４を備え、前記環状区域の軸線方向の厚さは、主壁６４の軸線方向の厚さ以下であり、弾性的に変形可能な区域を形成する。
【００６４】
したがって、隔室５８中の血圧の影響を受けるとともに、薄い区域７６の弾性変形によって、中央ペレット７４が、その平面と実質的に垂直な変位軸線A-Aの全域に沿って変位することが可能である。
【００６５】
その静止状態、すなわち、血圧が循環する空気圧と等しいときは、ペレット７４の外面７２がペレット７４とロードセンサー５６の間に挿入されたロードトランスミッター７８と接する。
【００６６】
ロードセンサー５６はしたがって、血圧によってペレット７４の内面７０に軸線方向に付与される力を測定して、この圧力の値をこれから計算することができる。
【００６７】
この発明の閉鎖部材６８の(図示しない)代替具体例によれば、中央ペレット７４は、それもまた軸線A-Aに沿って弾性変形することが可能なように、薄い区域７６と同じ厚さを備える。
【００６８】
好ましくは、測定セクション４６は、閉鎖部材６８の内面７０と外面７２の間に圧力勾配が存在しない場合には、閉鎖部材６８とロードトランスミッター７８の間の接触を保証するために、ロードトランスミッター７８が事前の張力Ｆ0を付与するように、ロードトランスミッター７８に対して軸線方向に配置されることが好ましい。
【００６９】
ロードセンサー５６の作用の信頼性を高めるために、孔６６を区画する血圧測定セクション４６の主壁６４は、正圧の場合には主壁６４が外側に向かって軸線方向に変形されることができないように、支持プレート５０を外側に向かって軸線方向に押す点に注目されたい。
【００７０】
図６に示すように、有利なことには、ペレット７４の平面に実質的に垂直な断面においては、薄い区域７６の外形は、実質的に波形である。
【００７１】
薄い区域７６の軸線方向の厚さは、この場合、カセット４８を成形によって製造することを可能にする射出成形技術と両立することができなければならない。この軸線方向の厚さは、例えば、約0.2mmである。
【００７２】
この発明の閉鎖部材６８の利点の１つは、その弾性が時間の経過とともに殆ど変化しないことである。
【００７３】
この閉鎖部材６８の弾性における温度の影響は、各１０度Ｃ毎に約３％である。
【００７４】
弾性におけるこれらの小さい変化は、例えば、ロードセンサー５６によって行われる測定結果の自動修正プロセスによって修正することができるであろう。
【００７５】
この発明の閉鎖部材６８の作用表面積Ｓaは、ペレット７４とロードトランスミッター７８の間の面積よりも僅かに大きい。
【００７６】
この作用表面積Ｓaは、特に、薄い区域７６の幾何学的形状によって決まる。
【００７７】
有利にも、このロードセンサー５６はストレーンゲージタイプである。
【００７８】
この発明の(図示しない)代替具体例によれば、薄い区域７６は、主壁６４の切削によって製造される。
【００７９】
この発明の閉鎖部材６８は、従来の可撓性薄膜タイプの閉鎖部材と同様な態様で正圧を測定することを可能にする。
【００８０】
負圧を測定するために、その作用原理は、正圧を測定するために用いられる原理と類似するが、測定される圧力の範囲内において、ロードセンサー５６によって測定される残りの圧力が常に正であるように、大きい初期の予備的張力Ｆ0が付与される。
【００８１】
このように、隔室５８内の圧力が減少するとき、ロードセンサー５６によって測定される力は減少し、対応する圧力の減少値がここから計算される。
【００８２】
適切な予備的張力Ｆ0を選択することによって、ロードセンサー５６が、正圧と負圧の両方を測定することが可能である点に注目されたい。
【００８３】
負圧を測定するこの原理は、予備的張力Ｆ0が作用中に変化しないか、仮に変化するとしても、温度または伸張の関数としての予備的張力Ｆ0における変化を力学的に修正することができるならば可能である。
【００８４】
図７は、大きな予備的張力Ｆ0を付与することなく負圧を測定することを可能にするこの発明の代替具体例を示す。
【００８５】
この代替具体例によれば、グリップされる部材８０が中央ペレット７４の外面７２中に成形される。
【００８６】
図７は、グリップされることができ、横断方向のノッチ８４を備える軸線方向のロッド８２を有する部材８０を例示を介して概略的に示す。
【００８７】
このノッチ８４は、ロードトランスミッター７８の補足的ジョー８６と係合して、ペレット７４をロードトランスミッター７８とともに軸線方向に変位させて固定する。
【００８８】
したがって、隔室５８内の血圧が循環空気以下の圧力になったとき、中央ペレット７４は、大気圧の影響を受けて隔室５８内に向かって軸線方向に変位される傾向がある。
【００８９】
したがって、中央ペレット７４は、ロードトランスミッター７８に軸線方向の引っ張り力を作用し、これによって、ロードセンサー５６が、隔室５８内の血圧降下に対応する力を測定することができる。
【００９０】
この代替具体例は、たとえ血圧が大気圧よりも大きいままであっても、基準圧力に対するすべての圧力降下を測定することが可能である点に注目されたい。
【図面の簡単な説明】
【図１】従来技術の血圧測定システムの第１のタイプの断面の略図。
【図２】従来技術の血圧測定システムの第２のタイプを示す図１と類似した図。
【図３】従来技術である図２の血圧測定システムの改良を示す図１と類似した図。
【図４】この発明の教示によって製造された体外血液処理デバイスを概略的に示す斜視図。
【図５】図４のデバイスのカセットを概略的に示す上面図。
【図６】図４のデバイスの血圧測定セクションを示す図１と類似した図。
【図７】負圧を測定するための図６の血圧測定セクションの変形を示す図１と類似した図。
【符号の説明】
４２…体外血液回路，４４…パイプ，４６…血圧測定セクション，４８…ケーシング，５０…支持プレート，５６…ロードセンサー，６４…硬質壁，６６…孔，６８…閉鎖部材，７０…内面，７２…外面，７４…中央ペレット，７６…薄い区域，７８…ロードトランスミッター。
【図１】
0004083420.tif 000002
【図２】
0004083420.tif 000003
【図３】
0004083420.tif 000004
【図４】
0004083420.tif 000005
【図５】
0004083420.tif 000006
【図６】
0004083420.tif 000007
【図７】
0004083420.tif 000008